(57)【要約】【課題】箔押し部を有する箔押しシートにおいて、箔押し部を印刷部と共存させても箔押し部を美麗に表示できるようにする。【解決手段】シート状の基材１２の表面１２ａに箔押し部１３が形成された箔押しシートにおいて、基材１２を、透光性を有するプラスチックシートで構成する。基材１２の裏面１２ａに、色彩を有する印刷部を形成し、基材１２の表面１２ａにおける箔押し部１３を形成する部位以外の部位に透光性を有するニス塗布部１５を形成する。【選択図】図２
2017094639.tif 000002
【特許請求の範囲】
【請求項１】
シート状の基材に箔押し部が形成された箔押しシートであって、
前記基材が透光性を有するプラスチックシートで構成され、
前記基材の裏面に、色彩を有する印刷部が形成され、
前記基材の表面における前記箔押し部を形成する部位以外の部位に透光性を有するニス塗布部が形成された
箔押しシート。
【請求項２】
前記印刷部と前記箔押し部が前記基材を介して重なり合う
請求項１に記載の箔押しシート。
【請求項３】
前記箔押し部が光沢を有するものである
請求項１または請求項２に記載の箔押しシート。
【請求項４】
前記ニス塗布部を形成するニスがシリコンを含有するものである
請求項１から請求項３のうちいずれか一項に記載の箔押しシート。
【請求項５】
請求項１から請求項４のうちいずれか一項に記載の箔押しシートを用いた
包装材料。
【発明の詳細な説明】
【技術分野】
【０００１】
この発明は、たとえば包装材料、クリアファイルやブックカバーなどの文具、名刺などの各種物品に利用できる箔押しシートに関し、より詳しくは、箔押しを十分に生かした美麗な外観が得られるような箔押しシートに関する。
【背景技術】
【０００２】
箔押しシートは、基材の表面に箔押し部のみが形成されたり、下記特許文献１に開示されているように箔押し部が基材の表面にインキによる印刷部と共に形成されたりしている。後者のように、箔押し部が印刷部といっしょに形成されると、２種類の加飾の特性を利用できるので、美麗な表示を行うことができる。
【０００３】
箔押し部の特性は、印刷部とは違って、よりくっきりとした色を表現できることであり、質感やボリューム感の点でも印刷にはないものがある。しかし、箔押し部と印刷部が基材の同一面にあると、印刷部の色彩や印刷部を保護する保護層の存在によって箔押し部の良さが十分に発揮できないことがある。
【先行技術文献】
【特許文献】
【０００４】
【特許文献１】特許第４０３２２６６号公報
【発明の概要】
【発明が解決しようとする課題】
【０００５】
そこでこの発明は、印刷部と共存させても箔押し部を美麗に表示できるようにすることを主な目的とする。
【課題を解決するための手段】
【０００６】
そのための手段は、シート状の基材に箔押し部が形成された箔押しシートであって、前記基材が透光性を有するプラスチックシートで構成され、前記基材の裏面に、色彩を有する印刷部が形成され、前記基材の表面における前記箔押し部を形成する部位以外の部位に透光性を有するニス塗布部が形成された箔押しシートである。
【０００７】
この構成では、印刷部は透光性を有する基材の裏面で表示を行い、この印刷部は基材の表面から透視される。箔押し部は基材の表面で表示を行い、基材を通さずに直接視認される。印刷部は基材を通して表現するが、箔押し部は印刷部より手前側でくっきりと色を表現し、質感やボリューム感も良好に表現する。また、箔押し部と印刷部は、基材に対して形成する面が異なるので、それぞれの形成位置に多少のずれが生じたとしても、ずれを看取させずにそれぞれが所望の表示を行う。さらに、基材は印刷部を保護して表示を確保する。
【発明の効果】
【０００８】
この発明によれば、箔押し部の良さを生かして美麗に表示できる。
【図面の簡単な説明】
【０００９】
【図１】箔押しシートの一部の平面図。
【図２】図１におけるＡ−Ａ断面図。
【図３】箔押しシートの製造工程を示す断面図。
【発明を実施するための形態】
【００１０】
この発明を実施するための一形態を、以下図面を用いて説明する。  
箔押しシート１１は、包装資材などさまざまなものに使用されるものであり、図１の平面図、図２の断面図に示したように、基材１２の表面１２ａに箔押し部１３が形成されている。箔押し部１３は、適宜の文字や絵柄、模様などをあらわす形であり、広告や識別標識など所望の内容を表示するように形成されている。
【００１１】
箔押し部１３を形成するための箔には、金色や銀色、メタリック、ホログラムなどの光沢を有するものであるほか、光沢のない顔料箔を使用できる。光沢を有する箔であると、箔押しの特性をより端的に表現できるため、箔押しの良さを発揮しやすい。
【００１２】
箔押しシート１１の基材１２は、透光性を有するプラスチックシートで構成されている。プラスチックシートは無色透明のほか、色つきであってもよく、また光が透過するものであればよく、光の透過率が様々なものを使用できる。
【００１３】
この基材１２の裏面１２ｂに、色彩を有する印刷部１４が形成されている。印刷部１４はたとえばシルクスクリーン印刷などでインキを塗布して形成され、広告や識別標識など所望の内容を表示するように形成されている。印刷部１４の形成は、視認される表面が基材１２の裏面に接するように行われる。印刷部１４は基材１２の裏面全体に形成されても、一部に形成されても、いずれでもよい。印刷部１４の上には保護層（図示せず）を形成することもできる。
【００１４】
基材１２の表面には前述のように適宜形状の箔押し部１３が形成されるが、その箔押し部１３を形成する部位以外の部位に、透光性を有するニス塗布部１５が形成されている。ニス塗布部１５は、少なくとも箔押し部１３を取り巻くように形成されればよく、基材１２の表面１２ａに全体的に形成しても、箔押し部１３を形成する部分の周囲のみに形成してもよい。
【００１５】
ニス塗布部１５を形成するニスには、紫外線硬化型のものなど適宜のものが使用される。好ましくは、シリコンを含有したニスを使用する。シリコンは、箔押しに際して余分な部分、つまりニス塗布部１５に箔が付くのを防止する。シリコンの含有量は適宜設定されるが、シリコンの含有量が多すぎるとニスの乾きが悪くなるので、２０％以下とするのがよい。より好ましくは、コストや生産効率を考慮すると、３％〜５％であるとよい。
【００１６】
前述の印刷部１４と箔押し部１３は、所望の表示が行えるように適宜配置される。このとき印刷部１４と箔押し部１３は基材１２を介して重なり合った状態であるのが好ましい。
【００１７】
このような構造の箔押しシート１１は、図３に示したように、搬送される基材１２に平板箔板１６で箔を加熱加圧して箔押し部１３を形成して構成される。
【００１８】
基材１２は、予め裏面１２ｂに印刷部１４が、表面１２ａにニス塗布部１５が形成されている。ロール状の基材１２とロール状の箔１３ａをそれぞれ所定のピッチで間欠送りしながら、箔押し（ホットスタンプ）がなされる。基材１２はロール状であるほか、積層されて一枚ずつ送りだされるシート状のもの（枚葉シート）であってもよい。使用する平板箔版１６としてはラバー版や銅版、マグネシウム板、真鍮板など適宜のものが使用される。
【００１９】
箔押し加工条件について説明すると、ラバー版の場合は、設定温度を１３０℃〜１８０℃、加圧速度を１分間あたり２０〜５５ショットとする。銅版の場合は、設定温度を１００〜１４０℃、加圧速度を１分間当たり４５〜８０ショットとする。
【００２０】
箔押し加工では一般的に次のような傾向がある。
【００２１】
平板箔版がラバー版の場合には、ラバーの柔軟性により、箔１３ａや基材１２にかかる圧力バランスを均等に保て、箔などの変形が少ないという利点がある一方で、温度を一定に保つことが容易ではなく、温度ムラが生じやすいために箔欠けができやすい。
【００２２】
平板箔版が銅版の場合には、ラバー版とは異なり、箔１３ａや基材１２に対する圧力調整が容易ではないものの、温度ムラが少ないため箔欠けができにくい利点がある。
【００２３】
箔押し加工はそれぞれ前述の設定温度の範囲内で行うが、設定温度の範囲外では、次のような不具合が生じる。許容範囲より高温の場合には、基材１２の変形や、余分な部分への箔１３ａの付着、ゴーストの発生があり得る。許容範囲より低温の場合には箔欠けが生じうる。ここで、ゴーストとは、基材１２と箔１３ａの搬送ピッチの違いにより、前段のショットで箔が抜けた部分が平板箔版１６にプレスされて、箔が抜けた部分が基材１２の表面に微細な凹凸として移行する現象をいう。
【００２４】
また加圧速度が前述の許容範囲より遅いと、基材１２の変形、余分な部分への箔の付着などが生じ得る。逆に早い場合には、箔欠けが生じ得る。
【００２５】
圧力が低すぎると、箔付きが悪く欠けが生じ、高すぎると基材１２の変形や余分な部分への箔の付着が発生し得る。
【００２６】
ここで、前述のようにニス塗布部１５を形成するニスにシリコンを混合すると、生産効率を向上することができる。
【００２７】
すなわち、ニスがシリコンを含有していると、箔１３ａが余分な部分に付きにくくなる。このため、少なくとも箔欠けしないような高めの温度で加工しても、余分な部分への箔の付着を防止できる。圧力についても、箔欠けが生じない程度に高くしても余分な部分への箔の付着を防止できる。
【００２８】
このため、加工速度を高めることができる。１分間当たりのショット数を多くしても、箔欠けが生じないようにすることができ、生産効率を高められる。
【００２９】
以上のように構成された箔押しシート１１は、前述のように包装資材などさまざまなものに使用される。例えば箔押しシート１１を用いた包装材料は、図示は省略するが、ブリスターパックやスライドブリスターパック、クリアケース、成形トレーなどの一部または全部を構成する。包装材料は透光性を有するので、内部を透視できる。このため収納した商品を表示に利用でき、美麗で訴求力のある展示ができる。しかも、外部からの商品の確認や改ざん防止の効果も得られる。
【００３０】
箔押しシート１１は、図１に示したように、印刷部１４と箔押し部１３がともに表示を行う。基材１２の裏面１２ｂに形成された印刷部１４は基材１２の表面から透視される一方で、基材１２の表面１２ａに形成された箔押し部１３は基材１２を通さずに直接視認される。箔押し部１３は、印刷部１４よりもくっきりと色を表現し、質感やボリューム感も印刷部１４とは外観が異なるものであり、このような箔押し部１３の特性が、印刷部１４の形成位置よりも手前でより良好に発揮される。
【００３１】
このため、たとえ印刷部１４の色彩などが看者の注意を著しく引くものであっても、箔押し部１３の特性を十分に発揮した表示が行える。つまり、箔押し部１３の効果が不測に減殺されることなく、箔押し部１３の良さを生かした美麗な表示ができる。
【００３２】
しかも、印刷部１４と箔押し部１３が基材１２を介して重なった状態であり、印刷部１４は箔押し部１３の下に視認できるので、箔押し部１３の表示効果を生かしつつも印刷部１４の表示が十分に行え、箔押し部１３と印刷部１４の協働による美麗な表示が可能である。
【００３３】
特にこのとき、箔押し部１３が光沢を有するものであると、箔押し部１３の特性をより一層発揮させて所望の表示をすることができる。
【００３４】
また箔押し部１３は平板箔版１６で形成されるので、凸版で行う場合と比べて凸版のような加工が不要であるうえに、凸版で行う場合よりも細かな箔押しが可能である。
【００３５】
特に、箔押し部１３の周囲のニス塗布部１５には、シリコン含有のニスを使用しているので、箔の付着が防止される。このため、ニス塗布部１５、つまり箔が付いてほしくない部分に箔が付着することを防止できる。このため、より繊細な線などの箔押しも可能であり、所望の美しい表示を作成できる。
【００３６】
また印刷部１４と箔押し部１３は基材１２における別の面に形成されるので、形成位置に多少のずれが生じたとしても、全体的な外観に影響はない。このため印刷部１４と箔押し部１３の形成位置を厳格に管理する必要がなく、不良の発生を抑制できる利点もある。
【００３７】
前述のようにニス塗布部１５のニスにはシリコンが混合されているので、高温、高圧で箔押し加工してもよく、ワンショット当たりの時間を短縮できて生産効率が良い。高温で加工することによるマイナス面として、前述のようにゴーストの発生があるが、前述のようにワンショットの時間を短縮できるので、ゴーストの発生を抑えることもできる。
【００３８】
さらに、基材１２の表面側からの傷に対して、印刷部１４は基材１２によって保護され、箔押し部１３の端部はニス塗布部１５によって保護される。このため、印刷部１４と箔押し部１５の所望の表示を維持でき、美麗な表示を実現できる。
【００３９】
以上の構成はこの発明を実施するための一形態であり、この発明は前述の構成のみに限定されず、その他の構成を採用することもできる。  
たとえば基材の表面にも印刷部を形成してもよい。
【符号の説明】
【００４０】
１１…箔押しシート
１２…基材
１２ａ…表面
１２ｂ…裏面
１３…箔押し部
１４…印刷部
１５…ニス塗布部
【図１】
2017094639.tif 000003
【図２】
2017094639.tif 000004
【図３】
2017094639.tif 000005